(57)【特許請求の範囲】
【請求項１】
ケーブルドラムを載せて回転させる１対のローラーを、長短をつけた、くの字型形状軸受プレートに設けた引き出し側と載せ替え側のローラー架台本体を、ローラー台座の前後に設けた高低差のある軸受支持架台へ前記架台本体の本体軸で可動する様に取り付け、載せ替え側ローラー架台本体の可動範囲を、フック金具で一時的に制限させるフック止金具を載せ替え側ローラー架台本体の前記軸受プレートの長手側側面に設け、ローラー台座側にフック金具とフック金具架台を設けて組み合わせ、さらにケーブルドラム載せ替え時には前記軸受プレートの長手側のローラーの回転を止める摩擦材をローラー台座の載せ替え側の一部分に設け、前記台座の四隅に接地面との隙間を調整する出し入れ可能なボルトアンカーを設け、前記台座の左右にケーブルドラム脱輪防止用の自在ローラー付き架台を設けた事を特徴とするケーブルドラム回転用ローラー台座。
【請求項２】
請求項１記載のローラー架台本体に於いて、１対のローラーを設ける左右のローラー架台軸受プレートは、長短をつけた、くの字型形状であり、くの字部箇所の外向け側にローラー架台本体軸を設け、くの字部箇所の内側をローラー架台本体補強軸で１対のプレート同士を結合させて１対のローラーをローラー架台軸受プレート穴で保持した架台本体であり、前記本体軸を支点に１対のローラーはあたかも移動する様に角度を変えて回動する事を特徴とするケーブルドラム回転用ローラー台座。
【発明の詳細な説明】
【技術分野】
【０００１】
本発明は、ケーブルの巻かれたケーブルドラムからケーブルを引き出すために、ローラーに載せて前記ドラムを回転させるケーブルドラム回転用台座に関するものである。
【背景技術】
【０００２】
従来のケーブルの巻かれたケーブルドラムからケーブルを引き出すためには、スタンドタイプのジャッキを使ってケーブルドラムの軸穴にシャフトを通しジャッキアップするか、ジャッキの無いスタンドタイプの場合は二人係でシャフトを持ち上げ載せていた。他に、ターンテーブルを使ったものや、ローラーを使った回転台に前記ドラムを載せている。
【０００３】
しかしながら、ターンテーブルを使用する場合は、二人係でターンテーブルのセンターに前記ドラム芯を合わせるように寝かせなければ、ドラム芯のずれによって楕円運動になりターンテーブルから前記ドラム自体が落たりする。又、前記ドラムは、寝かせた状態なので回転の慣性から必要以上にケーブルが解れ前記ドラムの枠外へ落ちてしまうなどの欠点があった。ローラーを使った回転台においては、ローラーが前後に半固定で配置されるので前記ドラムの外輪サイズが違う場合はローラーの位置替えを行い、前記ドラムの入れ替え時は、ストッパーでローラーの回転を止めてから行っていた。
【先行技術文献】
【特許文献】
【０００４】
【特許文献１】特開2014-204583公報
【特許文献２】特開2002-255454公報
【発明の概要】
【発明が解決しようとする課題】
【０００５】
既存のケーブルドラム回転台は、ケーブルドラムを受けるローラー部が前後の二カ所に其々1本配置され、前記ドラムの外輪サイズに順応できるよう一方のローラーは固定し、他方のローラーはセット位置を変更する溝を設け置き換えて調整している。又、前記ドラムの入れ替え時は、ローラーの回転をストッパーなどで止め前記ドラムを乗り越えさせている点である。
【０００６】
本発明のケーブルドラム回転用ローラー台座〔図１〕１には、ケーブルドラムを載せて回転させる１対のローラー〔図２〕６を設けた引き出し側と載せ替え側のローラー架台本体〔図２〕２a,２b,を、ローラー台座の前後に設けた高低差をつけた軸受支持架台〔図１〕１０a,１０b,へ前記架台本体軸〔図２〕４で可動する様に取り付け、載せ替え側ローラー架台本体２b,には、前記本体の可動範囲を一時的に制限させるフック止金具〔図１〕７を載せ替え側の長短をつけた、くの字型形状のローラー架台軸受プレート〔図２-２b〕３の長手側側面に設けローラー台座側〔図１〕にフック金具８とフック金具架台９を設けて組み合わせて使用し、さらにローラー台座側には載せ替え側ローラー架台本体の長手側のローラーが当たるローラー台座側部分に摩擦材１１を設けて、前記ローラーが摩擦材に接するとローラーの回転を止める事が出来、さらに前記台座の四隅に接地面との隙間を調整する出し入れ可能なボルトアンカー１２を設け、ケーブルドラム脱輪防止用の自在ローラー付き架台１４を台座の左右に設けたものである。
【０００７】
ローラー架台本体〔図２〕２a,２b,に於いて、１対のローラーを設ける左右のローラー架台軸受プレート３は、長短をつけた、くの字型形状であり、くの字部箇所の外向け側にローラー架台本体軸４を設け、くの字部箇所の内側をローラー架台本体補強軸５で１対のプレート同士を結合させて１対のローラーをローラー架台軸受プレート穴１５で保持した架台本体である。
【０００８】
ローラー台座上の軸受支持架台に取り付けた載せ替え側ローラー架台本体２b,は、前記架台本体軸を支点に重心は、前記軸受けプレート３の長手側のローラーにあり、ローラー台座に設けた回転をとめる摩擦材にローラーが接した状態になっている。ケーブルドラム〔図３，４-右図〕１６は転がして外輪でローラーを摩擦材に押しつけ、ローラー上を乗り越え載せ替え側ローラー架台本体上に移動できる。  
【０００９】
載せ替え側ローラー架台本体に移動したケーブルドラム〔図３，４-右図〕を、載せ替え側ローラー上で回転させずに押し前記ローラー架台本体軸を支点に重心移動〔図５〕させ、引き出し側ローラー架台本体〔図５〕６にケーブルドラムが架かり始めると引き出し側ローラー架台本体軸で回動されたローラーと共に受け止め前後のローラー架台本体上〔図３，４-左図〕にケーブルドラムを架ける事ができる。
【発明の効果】
【００１０】
本発明のケーブルドラム回転用ローラー台座１は、ケーブルドラム其々の外輪サイズの異なる物〔図３，４〕にも、くの字型形状の軸受プレート３から成る前後のローラー架台本体〔図５〕２a,２b,が可動する事で、其々のローラーがドラム外輪に添うように角度を変えて順応し、ドラムを受け止める事ができる。
【００１１】
前記台座へケーブルドラムを載せる時は、載せ替え側ローラー架台本体２b,の長手側のローラー６が前記台座の載せ替え側の一部にある摩擦材１１に接した状態になっている為、ローラー台座にケーブルドラムを転がして空転することなく載せ替え側ローラー架台本体上に移動できる。
【００１２】
さらに前記ドラムを載せ替え側ローラー上で回転させずに引き出し側ローラー架台本体に向けて押すと、載せ替え側ローラー架台本体軸２b‐４を支点に回動〔図５〕して重心移動したドラムの外輪が、引き出し側ローラー〔図５〕２a-６に接すると同時に引き出し側ローラー架台本体軸２a-４を支点に前記架台本体も回動し、角度を変えて前記ドラムをローラーで受け止め、前後のローラー架台本体上に前記ドラムが架かりケーブル引き出し作業が出来る状態〔図６〕になる。
【００１３】
前記台座からケーブルドラムを降ろす時は、前後のローラー架台本体上に架かった状態のケーブルドラムの外輪を回転させずに引き出し側から載せ替え側に押すと、載せ替え側ローラー架台本体軸を支点に回動して重心移動し、引き出し側ローラー架台本体から前記ドラムは離れ、前記ドラムの重量が載せ替え側ローラー架台本体の長手側ローラーに移り摩擦材を押しつけ、前記ローラー上を乗り越えて降ろす事が出来る。
【図面の簡単な説明】
【００１４】
【図１】ローラー台座全体斜視図
【図２】ローラー架台本体引き出し側２a, 載せ替え側２b,の斜視図
【図３】ローラー台座上のローラー架台本体と、ケーブルドラムの移動によるローラー架台本体の可動状態側面透視図
【図４】ローラー台座上のローラー架台本体と、異径サイズケーブルドラムの移動によるローラー架台本体の可動状態側面透視図
【図５】ローラー台座上の引き出し側ローラー架台本体に、ケーブルドラムが替え側ローラー架台本体軸を介して回動する可動状態側面透視図
【図６】使用状態実施態様斜視図
【００１５】
ローラー台座上のローラー架台本体〔図２〕は、１対のローラーを設ける左右のローラー架台軸受プレートを、長短をつけた、くの字型形状３で、くの字部箇所の外向け側にローラー架台本体軸４を設け、くの字部箇所の内側をローラー架台本体補強軸５で１対のプレート同士を結合させ、１対のローラー６をローラー架台軸受プレート穴１５で保持させたものであり、ローラー台座の前後にある高低差をつけた軸受支持架台〔図１〕１０a,１０b,へローラー架台本体軸４を可動する様に取り付け、さらにローラー台座上の載せ替え側には前記架台本体２b,の長短をつけた、くの字型形状３の長手側のローラー６が接する部分に摩擦材１１を設けてある。
【００１６】
載せ替え側ローラー架台本体〔図２〕２b,の長短をつけた、くの字型形状のローラー架台軸受プレート３の長手側側面に設けたフック止金具７と、ローラー台座側に設けた〔図１〕フック金具８とフック金具架台９の組み合わせは、前後のローラー架台本体に架かった時の状態のケーブルドラムの可動範囲を制限させるもので、ローラー台座へドラムを載せる前にフック金具をフック止金具上部側に倒し〔図３，４−右図〕、ドラムが載って前後のローラー架台本体に架かると載せ替え側ローラー架台本体のフック止金具の範囲内〔図３，４-左図〕にローラー台座側に設けたフック金具が倒れ、ケーブルドラムが前記架台本体の長手側に戻ろうとするとフック止金具の鉤部にフック金具が架かり前記架台本体の可動範囲が制限され、ケーブルドラムは前後のローラー架台本体に架かった状態を保つことが出来る。
【００１７】
ローラー台座上の載せ替え側ローラー架台本体は、前記架台本体軸を支点に重心は、長短をつけた、くの字型形状の長手側ローラーにあり、ローラー台座に設けた回転をとめる摩擦材にローラーが接した状態に置かれている。載せ替え側ローラー架台本体の軸受プレートの側面にあるフック止金具上部にフック金具を倒しケーブルドラムを転がして外輪でローラーを摩擦材に押しつけ前記ローラー上を乗り越え載せ替え側ローラー架台本体上に移動できる。
【００１８】
さらに、前記架台本体上のケーブルドラムを回転させずに引き出し側ローラー架台本体に向けて押すと、載せ替え側ローラー架台本体軸を支点にドラムは回動して重心移動し、ドラム外輪が引き出し側ローラー架台本体の長短をつけた、くの字型形状の長手側のローラー〔図５〕２a-６に接すると同時に、引き出し側架台本体もローラー架台本体軸〔図２〕２a-４を支点に回動し、角度を変えた引き出し側ローラー架台本体の、くの字型形状の短手側のローラーと共に受け止め〔図３，４-左図〕前後のローラー架台本体上にドラムが架かり同時にフック金具もフック止金具の鉤部範囲内に架かるものである。
【００１９】
ローラー台座上の前後のローラー架台本体に架かった状態のケーブルドラムを降ろすには、フック金具を解除〔図１〕８後、引き出し側ローラー架台本体側から外輪を回転させずに押すと載せ替え側ローラー架台本体軸を支点に重心移動し引き出し側ローラー架台本体から前記ドラムは離れ、載せ替え側ローラー架台本体に移った前記ドラムの重量が長手側のローラーを摩擦材に押しつけて回転を止め、前記ローラー上を乗り越え降ろす事が出来る。
【００２０】
前記台座〔図１〕の四隅にある出し入れ可能なボルトアンカー１２は、台座を床又は路面に置いた時の隙間をボルトアンカーで調整しガタつきを事前に取り除くものであり、前記台座の左右にケーブルドラム脱輪防止用の自在ローラー架台１４を設け、肩寄りしてきたケーブルドラムの外輪を自在ローラー架台で受け流して脱輪を防ぐものである。
【符号の説明】
【００２１】
１    ローラー台座
２a  引き出し側ローラー架台本体  
２b  載せ替え側ローラー架台本体  
３    長短をつけた、くの字型形状軸受プレート
４    ローラー架台本体軸
５    ローラー架台本体補強軸
６    ローラー
７    フック止金具
８    フック金具  
９    フック金具架台
１０a  引き出し側軸受支持架台
１０b  載せ替え側軸受支持架台
１１    摩擦材
１２    ボルトアンカー
１３    ボルトアンカーロックナット
１４    自在ローラー付き架台
１５    ローラー軸受穴
１６    ケーブルドラム
【図１】
0005870393.tif 000002
【図２】
0005870393.tif 000003
【図３】
0005870393.tif 000004
【図４】
0005870393.tif 000005
【図５】
0005870393.tif 000006
【図６】
0005870393.tif 000007